Podtech/llm-jp-corpus-v4-ja_patent huggingface dataset:
(57)【要約】【課題】  転倒による怪我が誰の身にも起こりうると知りつつ、それを防ぐ物を身に着けないのは何故だろうか。  市販されている防護服やプロテクターは着心地、付け心地が大変に悪く見た目もおしゃれな物が無い上、運転の妨げとなることもある。  本発明は肩、背中を防護するリュックサックを提供する。【解決手段】  リュックサックの物入れとしての形や機能はそのままにし。  ストラップの肩に接触する部分に肩を保護する肩衝撃吸収ガードを、背中に接触する背あての全ての面にも背中を保護する背中衝撃吸収ガードを取り付けた事を特徴とする肩、背中を防護するリュックサック。【選択図】図１
2017029662.tif 000002
【特許請求の範囲】
【請求項１】
通常一般のリュックサックにおいて、ストラップの肩に接触する部分に肩を保護する肩衝撃吸収ガードを、背中に接触する全ての面にも背中を保護する背中衝撃吸収ガードを取り付けたことを特徴とする肩、背中を防護するリュックサック。
【発明の詳細な説明】
【技術分野】
【０００１】    本発明は肩、背中を防護するリュックサックに関するものである。
【背景技術】
【０００２】  従来リュックサックは両手を自由にする事が出来る鞄として、主に野外活動の折に広く使われている。
オートバイ、自転車の運転時には、安全に走行する為にリュックサックを背負う事が多い。しかし、転倒の危険に備えて、防護服やプロテクターを着用する人は極めて少ない。
なお、リュックサックの背面にガスを供給し膨張させ、背中を保護する形態のリュックサックはある。（特許文献１参照）
【先行技術文献】
【特許文献】
【０００３】
【特許文献１】  特開２００６−１４１５６７号公報
【発明の概要】
【発明が解決しようとする課題】
【０００４】  転倒によるケガが誰の身にも起こりうると知りつつ、それを防ぐ物を身につけないのは何故だろうか。市販されている防護服やプロテクターは、着心地、付け心地が大変に悪く、見た目のおしゃれな物が無い上、運転の妨げとなる事もある。
特許文献１に示される先行技術は、構造が難しい上、背中しか守れない。
本発明は以上の問題点を解決するものである。
【課題を解決するための手段】
【０００５】  リュックサックの物入れとしての形や機能はそのままにし、ストラップの肩に接触する部分に肩を保護する肩衝撃吸収ガードを、背中に接触する全ての面に背中を保護する背中衝撃吸収ガードを設ける。
以上の構成よりなる肩、背中を防護するリュックサックである。
【発明の効果】
【０００６】  オートバイ、自転車運転時には側方に転倒する事が多く肩、背中を強打する危険性が高い。本発明のリュックサックを使用する事で肩、背中ガードが転倒の衝撃を吸収し、ケガの軽減に繋がる。又、付け心地、着心地の悪さで避けられがちな防護服やプロテクターに変わり、軽装であっても肩、背中を守る事が出来る。
本発明は２輪車運転時のみにその効果を発揮するだけでは無く、転倒の危険のあるさまざまな場面での使用が可能である。（スケボー走行、ハイキング、登山等）
【図面の簡単な説明】
【０００７】
【図１】本発明の斜視図
【発明を実施するための形態】
【０００８】    以下、本発明の実施の形態を説明する。
（イ）ストラップ（３）に肩を覆い保護する肩衝撃吸収ガード（１）を設け、肩衝撃吸      収ガードはストラップに沿って自由に移動調節できる。
（ロ）背中に接触する全ての面に背中を保護する背中衝撃吸収ガード（２）を設ける。
本発明は、以上のような構造である。
本発明を使用する時は、リュックを背負い、２本のストラップ（３）を体に合わせて背あて面の位置を調節する。次に肩衝撃吸収ガード（１）の位置を調節し両肩にきちんと装着する。
【符号の説明】
【０００９】    １  肩衝撃吸収ガード    ２  背中衝撃吸収ガード    ３  ストラップ
【図１】
2017029662.tif 000003
(57)【要約】      （修正有）【課題】腕の筋肉への負担の少ない持ち方のできるボーリングボールを提供する。【解決手段】かばんを持つような、より日常的な動作で、ボーリングボールを持てるようにし、特異な腕の筋肉への負担を軽減させる。【選択図】図１
2017029664.tif 000002
【特許請求の範囲】
【請求項１】
ボール表面に複数の指が一緒にかつ同時に入る大きさの穴があり、穴に入れた指が手の平側に曲げられる空間と、その曲げた指でボールを持ち投げられるだけのひっかかりや取っ手をもうけたボウリングボール
【請求項２】
ボール表面に穴を開け、複数の指が一緒にかつ同時に入る大きさの穴があることと、ボールを持ち投げることができる指のひっかかりや取っ手になる部分があることを両立できるふたやつめ物で、開けた穴をふさぎ、ボールの球体を形成することを特徴とするボウリングボール
【発明の詳細な説明】
【技術分野】
【０００１】本発明はボウリングボールを投げやすくするための指穴に関するものである
【発明の概要】
【発明が解決しようとする課題】
【０００２】従来のボウリングボールでのプレーは、重いボールを不自然でかつ特異な持ち方をするがゆえ、高齢者や子供には困難でプレー後には筆記具やはしが持てなくなるなど、日常生活に支障をきたす程の腕の筋肉痛をまねくこともあり、ひいてはそれが、ボウリングがレジャーとして敬遠される一因でもある
【課題を解決するための手段】
【０００３】かばんを持つような、より日常的な動作で、ボールを持てるようにし、従来の特異な腕の筋肉への負担を軽減させる
【図面の簡単な説明】
【０００４】
【図１】ボールの外観図
【図２】図１の断面図
【図３】ふた式の場合の外観図
【図４】図３の断面図
【符号の説明】１・・・ボール本体
２・・・指穴
３・・・指穴２つの場合の予想図
４・・・指のひっかかり及び取っ手
５・・・ふた
６・・・ねじ
【図１】
2017029664.tif 000003
【図２】
2017029664.tif 000004
【図３】
2017029664.tif 000005
【図４】
2017029664.tif 000006
【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
ボール表面に複数の指が一緒にかつ同時に入る大きさの穴があり、穴に入れた指が手の平側に曲げられる空間と、その曲げた指でボールを持ち投げられるだけのひっかかりや取っ手をもうけたボウリングボール
【請求項２】
ボール表面に穴を開け、複数の指が一緒にかつ同時に入る大きさの穴があることと、ボールを持ち投げることができる指のひっかかりや取っ手になる部分があることを両立できるふたで、開けた穴をふさぎ、ボールの球体を形成することを特徴とするボウリングボール
【手続補正２】
【補正対象書類名】明細書
【補正対象項目名】０００４
【補正方法】変更
【補正の内容】
【０００４】
【図１】ボールの外観図
【図２】図１の断面図
【図３】ふた式の場合の外観図
【図４】図３の断面図
【符号の説明】
１…ボール本体
２…指穴
３…指のひっかかり及び取っ手
４…ふた
５…ねじ
【手続補正３】
【補正対象書類名】図面
【補正対象項目名】全図
【補正方法】変更
【補正の内容】
【図１】
2017029664.tif 000007
【図２】
2017029664.tif 000008
【図３】
2017029664.tif 000009
【図４】
2017029664.tif 000010
(57)【要約】【課題】球状ヒンジ眼鏡（特許第４６０９７９５号）の特徴を活かしつつ使い易さを向上させる。普通に使用する場合には球面の摩擦トルクが大きくないのでテンプル折り畳みは容易であるが、激しい運動の際のずれ防止にはには大きな摩擦トルクが必要となり、テンプル折り畳みが円滑に行えなくなる。  経年変化による掛け心地が劣化した一般の眼鏡の改善策として球状ヒンジ眼鏡に置換し易くする。  掛け心地の調整は本来販売店が行うものであるが，使う人自身が行えるようにしたい。【解決手段】球状ヒンジ眼鏡（特許第４６０９７９５号）の特徴を活かし、ヒンジ部を持った球と摩擦トルクを規定するための調整ねじを持った左右のソケットで構成される球状ヒンジ構造と該球状ヒンジ構造にテンプルを一体化させた構成部分を枠のヒンジ部にネジで連結する。【選択図】図１
2017076100.tif 000002
【特許請求の範囲】
【請求項１】
ヒンジ部を持った球と摩擦トルクを規定するための調整ねじを持った左右のソケットで構成される球状ヒンジ構造と該球状ヒンジ構造にテンプルを一体化させた構成部分を枠のヒンジ部にネジで連結したことを特徴とする球状ヒンジ眼鏡。
【発明の詳細な説明】
【技術分野】
【０００１】  本発明は眼鏡の構造に関する。
【背景技術】
【０００２】    一般的な眼鏡は人それぞれの顔形に合わせるよう努力して作られているが、眼鏡が完全に適合された寸法に製作される事は不可能に近い。それは鼻を中心にして左右の耳が完全にシンメトリーに配置されていない事が大きな要因である。  又経年変化により眼鏡自体の弾力が低下したり、人の顔も変化するのでメンテナンスが不可欠である。
この問題に対応したのが特許第４６０９７９５号である。
【先行技術文献】
【特許文献】
【０００３】
【特許文献１】  特許第４６０９７９５号
【非特許文献】
【０００４】
【非特許文献１】  ［眼鏡フレームにおける掛け心地開発］  日本機械学会誌  ２００９．１２  ｐ３６〜３７
【発明の概要】
【発明が解決しようとする課題】
【０００５】  球状ヒンジ眼鏡（特許第４６０９７９５号）の特徴を活かしつつ使い易さを向上させる。
【課題を解決するための手段】
【０００６】一般の眼鏡のテンプルは枠のヒンジ部にネジで連結されているが、このヒンジ部に球状ヒンジ構造を介してテンプルを連結する。
【発明の効果】
【０００７】  特許第４６０９７９５号の球状ヒンジ眼鏡は普通に使用する場合には球面の摩擦トルクが大きくないのでテンプル折り畳みは容易であるが、激しい運動の際のずれ防止にはには大きなトルクが必要となり、テンプル折り畳みは円滑に行えなくなる。本発明によればテンプル折り畳みが容易になる。【０００８】一般の眼鏡を長年使用すると左右何れかのテンプルがしっくりした掛け心地を損なうようになる場合が生ずる。その際に掛け心地を損なったほうのテンプルを本発明によるものとすれば掛け心地が向上すると共に眼鏡の保持力が改善される。【０００９】  一般の眼鏡の枠やレンズは変えずにテンプルのみを球状ヒンジ構造を介したテンプルに置き換える事により、球状ヒンジ眼鏡に改造する事ができる。この事は経年変化によるテンプルの開きや顔かたちの変化にも対応させる事ができ、掛け心地の向上が得られる。
その上、従来から市販されている眼鏡と違って、使う人自身が掛け心地を調整する事ができるようになるという大きな効果が得られる。
【図面の簡単な説明】
【００１０】
【図１】  実施例１の平面図
【図２】  実施例１の側面図
【図３】  実施例２の平面図
【図４】  実施例３の平面図
【発明を実施するための形態】
【００１１】  以下は本発明を実施の形態を図に基づいて説明する。
【実施例１】
【００１２】図１において、１は枠、２は球、３はソケットＡ、４はソケットＢ、５は右テンプル、６は調整ねじ、７は止めねじ、８はレンズである。枠１には鼻パッド１ａ及び１ｂがあり、ヒンジ部１ｃ及び１ｄがある。  球２にはロッド部２ａがありヒンジ部２ｂに一体化されている。ヒンジ部１ｃとヒンジ部２ｂはネジ９で連結されている。  Ａソケット３は半割れで、ねじ孔３ａ及び３ｂがある。Ｂソケット４は半割れで孔４ａ及び４ｂがある。右テンプル５には調整ねじ６及び止めねじ７を貫通させるためのＵ溝５ａがある。  半割れのＡソケット３は止めねじ７により右テンプル５と一体化され、Ａソケット３及びＢソケット４は、調整ねじ６により、一体化されると共に球２を内蔵し球状ヒンジを形成する。
調整ねじ６の締付力により球状ヒンジの摩擦トルクが規定される。【００１３】Ｂソケット４には雨天の屋外作業その他、球状ヒンジの摩擦力が減少する恐れがある場合に備えて、Ｂソケット４と球２を固定するためのロックねじ４ｄとそのねじ孔４ｃがある。【００１４】１１は左テンプルで右テンプル５と同様に球状ヒンジ構造を介しヒンジ部１ｄとネジ１０で連結されている。  球状ヒンジ構造の詳細は省略する。
【実施例２】
【００１５】  図３において、２１は枠、２２はレンズである。枠２１にはヒンジ部２１ａ及び２１ｂがある。２４は右テンプル、２６は左テンプルである。  右テンプル２４は［実施例１］の右テンプル５と同様に球状ヒンジ構造を介しヒンジ部２１ａとネジ２３で連結されている。球状ヒンジ構造の詳細は省略する。左テンプル２６は一般の眼鏡のテンプルでヒンジ部２１ｂとネジ２５で連結されている。
【実施例３】
【００１６】  図４において、３１は枠、３２はレンズである。枠３１にはヒンジ部３１ａがある。
３４は球、３５はＡソケット、３６はＢソケット、３７はテンプルである。これらＡソケット、Ｂソケット、テンプルの三者は接合部３８で一体化された構造となっている。
３９は調整ねじ、４０はロックねじである。球３４にはヒンジ部３４ａがあり、ヒンジ部３１ａとネジ３３で連結されている。
球状ヒンジ構造の機能は他の実施例と同様なので詳細は省略する。
【産業上の利用可能性】
【００１７】眼鏡を製造する産業で利用する。
【符号の説明】
【００１８】１枠  ２球  ３Ａソケット  ４左ソケット  ５右テンプル  ６調整ねじ  ７止めねじ
８レンズ  ９ネジ  １０ネジ  １１左テンプル  ２１枠  ２２レンズ  ２４右テンプル
２６左テンプル  ２３ネジ  ２５ネジ  ３１枠  ３２レンズ  ３３ネジ  ３４球
３５Ａソケット  ３６Ｂソケット  ３７テンプル  ３９調整ねじ
【図１】
2017076100.tif 000003
【図２】
2017076100.tif 000004
【図３】
2017076100.tif 000005
【図４】
2017076100.tif 000006